(57)【要約】【課題】複数の玩具にそれぞれ取り付けられた再生装置から、予め定められた再生タイミングで再生音を出力させる。【解決手段】複数の再生装置のそれぞれは、オーディオデータを記憶する第１の記憶部と、無線通信端末からオーディオデータの再生命令を受信する端末通信部と、再生命令を実行してオーディオデータを再生する第１の処理部と、オーディオデータの再生音を出力するオーディオ出力部とを備える。無線通信端末は、オーディオデータの複数の再生タイミングを定義する再生定義情報を記憶する第２の記憶部と、複数の再生装置のそれぞれに再生命令を無線送信する装置通信部と、再生定義情報に基づいて、装置通信部から複数の再生装置のそれぞれに再生命令を無線送信させる第２の処理部とを備える。【選択図】図５
2016221152.tif 000002
【特許請求の範囲】
【請求項１】
それぞれが玩具に取り付けられる複数の再生装置と、
前記複数の再生装置との間で無線通信を行う無線通信端末と
を具備する玩具制御システムであって、
前記複数の再生装置のそれぞれは、
オーディオデータを記憶する第１の記憶部と、
前記無線通信端末から前記オーディオデータの再生命令を受信する端末通信部と、
前記再生命令を実行して前記オーディオデータを再生する第１の処理部と、
前記オーディオデータの再生音を出力するオーディオ出力部と
を備え、
前記無線通信端末は、
前記オーディオデータの複数の再生タイミングを定義する再生定義情報を記憶する第２の記憶部と、
前記複数の再生装置のそれぞれに前記再生命令を無線送信する装置通信部と、
前記再生定義情報に基づいて、前記装置通信部から前記複数の再生装置のそれぞれに前記再生命令を無線送信させる第２の処理部と
を備える
玩具制御システム。
【請求項２】
前記第２の記憶部は、前記複数の再生装置のそれぞれを識別するための装置識別情報と前記玩具を識別するための玩具識別情報との対応関係を示す対応情報をさらに記憶し、
前記再生定義情報は、前記複数の再生タイミングのそれぞれについて前記玩具識別情報と前記オーディオデータとを指定し、
前記第２の処理部は、前記複数の再生タイミングのそれぞれにおいて、前記装置通信部から、前記再生定義情報で指定された前記玩具識別情報に対応する前記装置識別情報が示す再生装置に、前記再生定義情報で指定された前記オーディオデータの前記再生命令を無線送信させる
請求項１記載の玩具制御システム。
【請求項３】
前記装置識別情報と前記玩具識別情報とを対応付けて記憶する対応情報データベースを管理する管理サーバをさらに具備し、
前記無線通信端末は、前記管理サーバと通信を行うサーバ通信部をさらに備え、
前記再生装置は、その再生装置を識別するための前記装置識別情報を前記第１の記憶部にさらに記憶し、
前記端末通信部は、前記第１の記憶部に記憶される前記装置識別情報を含むアドバタイズパケットを予め発信し、
前記装置通信部は、前記アドバタイズパケットを受信し、
前記サーバ通信部は、前記装置通信部が受信した前記アドバタイズパケットに含まれる前記装置識別情報を前記管理サーバに送信して、当該装置識別情報を含む前記対応情報データベースのレコードを前記管理サーバから取得し、
前記第２の記憶部は、前記対応情報データベースの前記レコードを前記対応情報として記憶する
請求項２記載の玩具制御システム。
【請求項４】
前記再生定義情報は、前記複数の再生タイミングのそれぞれについて前記複数の再生装置のそれぞれを識別するための装置識別情報と前記オーディオデータとを指定し、
前記第２の処理部は、前記複数の再生タイミングのそれぞれにおいて、前記装置通信部から、前記再生定義情報で指定された前記装置識別情報が示す再生装置に、前記再生定義情報で指定された前記オーディオデータの前記再生命令を無線送信させる
請求項１記載の玩具制御システム。
【請求項５】
前記第２の記憶部は、前記再生命令がスクリプト言語で記述されたドキュメントとして前記再生定義情報を記憶する
請求項１記載の玩具制御システム。
【請求項６】
前記無線通信端末は、Ｗｅｂサーバにアクセスして前記ドキュメントを取得するサーバ通信部をさらに備える
請求項５記載の玩具制御システム。
【請求項７】
それぞれがオーディオデータを記憶して玩具に取り付けられる複数の再生装置との間で無線通信を行う無線通信端末であって、
前記オーディオデータの複数の再生タイミングを定義する再生定義情報を記憶する記憶部と、
前記複数の再生装置のそれぞれに前記オーディオデータの再生命令を無線送信する通信部と、
前記再生定義情報に基づいて、前記通信部から前記複数の再生装置のそれぞれに前記再生命令を無線送信させる処理部と
を具備する無線通信端末。
【請求項８】
それぞれがオーディオデータを記憶して玩具に取り付けられる複数の再生装置と、前記複数の再生装置との間で無線通信を行う無線通信端末とを備える玩具制御システムにおける玩具制御方法であって、
前記無線通信端末が、前記オーディオデータの複数の再生タイミングを定義する再生定義情報に基づいて、前記複数の再生装置のそれぞれに前記オーディオデータの再生命令を無線送信する手順と、
前記複数の再生装置のそれぞれが、前記無線通信端末から前記再生命令を受信する手順と、
前記複数の再生装置のそれぞれが、前記再生命令を実行して前記オーディオデータを再生する手順と
を具備する玩具制御方法。
【発明の詳細な説明】
【技術分野】
【０００１】
本発明は、玩具制御システムに関し、特に、玩具に取り付けられる再生装置から再生音を出力する玩具制御システム、および、その玩具制御システムに用いられる無線通信端末ならびにその玩具制御方法に関する。
【背景技術】
【０００２】
従来、玩具を制御して、その動作や音声を楽しむためのシステムが知られている。例えば、ユーザが手にした携帯電話玩具から動作玩具に対して作動信号を発信して動作玩具を動作させるとともに、携帯電話玩具において動作玩具の疑似応答音声を出力することにより、ユーザが動作玩具との間で疑似コミュニケーションを行えるようにしたものが提案されている（例えば、特許文献１参照。）。
【先行技術文献】
【特許文献】
【０００３】
【特許文献１】特開２００４−０６５５９５号公報
【発明の概要】
【発明が解決しようとする課題】
【０００４】
上述の従来技術では、ユーザによる発信に応じて動作玩具の頭部が左右に揺動するように構成されている。しかしながら、この従来技術では、動作玩具を動作させるためにはユーザによる発信が必要であり、受動的な嗜好にはなじまない。また、音声出力は携帯電話玩具の音声出力部から得られるだけであり、多様なニーズに応えるためには十分ではない。
【０００５】
本発明はこのような状況に鑑みて生み出されたものであり、複数の玩具にそれぞれ取り付けられた再生装置から、予め定められた再生タイミングで再生音を出力させることを目的とする。
【課題を解決するための手段】
【０００６】
本発明は、上述の問題点を解消するためになされたものであり、その第１の側面は、それぞれが玩具に取り付けられる複数の再生装置と、上記複数の再生装置との間で無線通信を行う無線通信端末とを具備する玩具制御システムであって、上記複数の再生装置のそれぞれは、オーディオデータを記憶する第１の記憶部と、上記無線通信端末から上記オーディオデータの再生命令を受信する端末通信部と、上記再生命令を実行して上記オーディオデータを再生する第１の処理部と、上記オーディオデータの再生音を出力するオーディオ出力部とを備え、上記無線通信端末は、上記オーディオデータの複数の再生タイミングを定義する再生定義情報を記憶する第２の記憶部と、上記複数の再生装置のそれぞれに上記再生命令を無線送信する装置通信部と、上記再生定義情報に基づいて、上記装置通信部から上記複数の再生装置のそれぞれに上記再生命令を無線送信させる第２の処理部とを備える玩具制御システムである。これにより、再生定義情報に基づいて無線通信端末から複数の再生装置のそれぞれにおける再生を制御させるという作用をもたらす。
【０００７】
また、本発明の第２の側面は、それぞれがオーディオデータを記憶して玩具に取り付けられる複数の再生装置との間で無線通信を行う無線通信端末であって、上記オーディオデータの複数の再生タイミングを定義する再生定義情報を記憶する記憶部と、上記複数の再生装置のそれぞれに上記オーディオデータの再生命令を無線送信する通信部と、上記再生定義情報に基づいて、上記通信部から上記複数の再生装置のそれぞれに上記再生命令を無線送信させる処理部とを具備する無線通信端末である。これにより、再生定義情報に基づいて複数の再生装置のそれぞれにおける再生を制御するという作用をもたらす。
【０００８】
また、本発明の第３の側面は、それぞれがオーディオデータを記憶して玩具に取り付けられる複数の再生装置と、上記複数の再生装置との間で無線通信を行う無線通信端末とを備える玩具制御システムにおける玩具制御方法であって、上記無線通信端末が、上記オーディオデータの複数の再生タイミングを定義する再生定義情報に基づいて、上記複数の再生装置のそれぞれに上記オーディオデータの再生命令を無線送信する手順と、上記複数の再生装置のそれぞれが、上記無線通信端末から上記再生命令を受信する手順と、上記複数の再生装置のそれぞれが、上記再生命令を実行して上記オーディオデータを再生する手順とを具備する玩具制御方法である。これにより、再生定義情報に基づいて無線通信端末から複数の再生装置のそれぞれにおける再生を制御させるという作用をもたらす。
【発明の効果】
【０００９】
本発明によれば、複数の玩具にそれぞれ取り付けられた再生装置から、予め定められた再生タイミングで再生音を出力させることができるという優れた効果を奏し得る。
【図面の簡単な説明】
【００１０】
【図１】本発明の実施の形態における玩具制御システムの全体構成の一例を示す図である。
【図２】本発明の実施の形態における対応情報データベース５１０の構成例を示す図である。
【図３】本発明の実施の形態における玩具制御システムの事前準備処理１の例を示すシーケンスチャートである。
【図４】本発明の実施の形態における玩具制御システムの事前準備処理２の例を示すシーケンスチャートである。
【図５】本発明の第１の実施の形態における玩具制御システムの適用例を示す図である。
【図６】本発明の第１の実施の形態における記憶部３２０に記憶される対応情報３２１の一例を示す図である。
【図７】本発明の第１の実施の形態における記憶部３２０に記憶される再生定義情報３２２の一例を示す図である。
【図８】本発明の第１の実施の形態における記憶部２２０に記憶されるオーディオデータ２２３の一例を示す図である。
【図９】本発明の実施の形態における再生命令の一例を示す図である。
【図１０】本発明の第１の実施の形態における無線通信端末３００の処理手順例を示す流れ図である。
【図１１】本発明の第１の実施の形態の変形例における記憶部３２０に記憶される再生定義情報３２２の一例を示す図である。
【図１２】本発明の第２の実施の形態における玩具制御システムの適用例を示す図である。
【図１３】本発明の第２の実施の形態における記憶部３２０に記憶される対応情報３２１の一例を示す図である。
【図１４】本発明の第２の実施の形態における記憶部３２０に記憶される再生定義情報３２２の一例を示す図である。
【図１５】本発明の第２の実施の形態における記憶部２２０に記憶されるオーディオデータ２２３および記憶部３２０に記憶されるオーディオデータ３２３の一例を示す図である。
【図１６】本発明の第２の実施の形態における無線通信端末３００の処理手順例を示す流れ図である。
【図１７】本発明の第２の実施の形態の変形例における記憶部３２０に記憶される再生定義情報３２２の一例を示す図である。
【発明を実施するための形態】
【００１１】
以下、本発明を実施するための形態（以下、実施の形態と称する）について説明する。
【００１２】
＜１．第１の実施の形態＞
［玩具制御システムの構成］
図１は、本発明の実施の形態における玩具制御システムの全体構成の一例を示す図である。この玩具制御システムは、玩具１００を制御するためのシステムであり、再生装置２００と、無線通信端末３００と、管理サーバ５００と、Ｗｅｂサーバ６００とを備えている。
【００１３】
玩具１００は、この玩具制御システムの制御対象であり、例えば、ぬいぐるみや人形（フィギュア）などの生き物を模したものが想定される。また、楽器などの無生物を模したものであってもよい。なお、この玩具１００は、後述する玩具識別情報ＩＤｔによって識別される。
【００１４】
再生装置２００は、無線通信端末３００からの指示に従って再生音を出力する装置である。この再生装置２００は、玩具１００の内部または外部に取り付けられる。この再生装置２００は、処理部２１０と、記憶部２２０と、端末通信部２３０と、オーディオ出力部２７０とを備える。なお、この再生装置２００は、後述する装置識別情報ＩＤｐによって識別される。
【００１５】
再生装置２００の記憶部２２０は、再生装置２００内の処理に必要なデータを記憶するものである。この記憶部２２０は、例えば、再生装置２００において再生されるオーディオデータ２２３を記憶する。このオーディオデータとしては、ＭＰ３形式の音声データファイル等を想定することができる。また、この記憶部２２０は、例えば、再生装置２００を識別するための識別情報である装置識別情報（ＩＤｐ）２２１を記憶する。この装置識別情報としては、ＵＵＩＤ（Universally Unique Identifier）等を想定することができる。
【００１６】
再生装置２００の端末通信部２３０は、無線通信端末３００との間の無線通信を行うものである。この端末通信部２３０は、例えば、無線通信端末３００からオーディオデータの再生命令を受信する。この端末通信部２３０による無線通信の方式としては、Ｂｌｕｅｔｏｏｔｈ（登録商標）  Ｌｏｗ  Ｅｎｅｒｇｙ（以下、「ＢＬＥ」と略称する。）規格に則った通信が想定される。なお、無線通信端末３００と無線通信することができるのであれば、Ｗｉ−Ｆｉ（登録商標）規格など、別の通信規格により無線通信してもよい。
【００１７】
再生装置２００の処理部２１０は、再生装置２００内の処理を制御するものである。例えば、この処理部２１０は、無線通信端末３００から受信した再生命令を実行して、記憶部２２０に記憶されるオーディオデータの再生を行う。
【００１８】
再生装置２００のオーディオ出力部２７０は、処理部２１０によって再生されたオーディオデータの再生音を出力するものである。このオーディオ出力部２７０としては、例えば、スピーカ等が想定される。
【００１９】
無線通信端末３００は、ユーザが携帯する端末である。この無線通信端末３００は、処理部３１０と、記憶部３２０と、装置通信部３３０と、サーバ通信部３４０と、入力部３５０と、表示部３６０と、オーディオ出力部３７０とを備える。これらはバス３９０によって相互に接続される。
【００２０】
無線通信端末３００の記憶部３２０は、無線通信端末３００内の処理に必要なデータを記憶するものである。この記憶部３２０は、例えば、オーディオデータの複数の再生タイミングを定義する再生定義情報３２２を記憶する。この再生定義情報の詳細については後述する。また、この記憶部３２０は、例えば、再生装置２００のそれぞれを識別するための装置識別情報ＩＤｐと玩具１００を識別するための玩具識別情報ＩＤｔとの対応関係を示す対応情報を記憶する。また、この記憶部３２０は、例えば、無線通信端末３００において再生されるオーディオデータ３２３を記憶してもよい。このオーディオデータとしては、ＭＰ３形式の音声データファイル等を想定することができる。
【００２１】
無線通信端末３００の装置通信部３３０は、再生装置２００との間の無線通信を行うものである。この装置通信部３３０は、例えば、再生装置２００にオーディオデータの再生命令を送信する。
【００２２】
無線通信端末３００の処理部３１０は、無線通信端末３００内の処理を制御するものである。この処理部３１０は、例えば、再生定義情報に基づいて、装置通信部３３０から再生装置２００に再生命令を無線送信させたり、記憶部３２０に記憶されるオーディオデータの再生を行ったりする。この処理部３１０による処理は、この玩具制御システムのために用意されたアプリケーションを実行することにより実現される。
【００２３】
無線通信端末３００のサーバ通信部３４０は、管理サーバ５００およびＷｅｂサーバ６００との間の通信を行うものである。管理サーバ５００およびＷｅｂサーバ６００はネットワーク４００に接続されている。ネットワーク４００にはアクセスポイント４１０が接続されており、アクセスポイント４１０のアンテナ４１１を使用して無線通信端末３００のサーバ通信部３４０と通信を行う。サーバ通信部３４０とアクセスポイント４１０との間では、例えば、移動体通信（例えば、３Ｇ）や、Ｗｉ−Ｆｉ（登録商標）規格などによる無線ＬＡＮなどを利用した通信を行うことが想定される。したがって、アクセスポイント４１０には、携帯電話等の移動体通信における基地局や、Ｗｉ−Ｆｉ（登録商標）通信のための通信インターフェースなどが含まれ得る。
【００２４】
無線通信端末３００の入力部３５０は、ユーザからの入力を受け付けるためのものである。この入力部３５０としては、例えば、タッチパネルの触覚センサが想定されるが、外部接続されたキーボードなどを使用してもよい。無線通信端末３００の表示部３６０は、ユーザに対して情報を表示出力するためのものである。この表示部３６０としては、例えば、タッチパネルの表示部が想定される。したがって、入力部３５０および表示部３６０は、一体化されたタッチパネルとして実現することができる。
【００２５】
無線通信端末３００のオーディオ出力部３７０は、処理部３１０によって再生されたオーディオデータの再生音を出力するものである。このオーディオ出力部３７０としては、例えば、スピーカ等が想定される。
【００２６】
Ｗｅｂサーバ６００は、玩具制御システムにおいて利用されるオーディオデータおよび再生定義情報を配信するためのサーバである。後述するように、このＷｅｂサーバ６００は、無線通信端末３００からの要求に応じて、オーディオデータおよび再生定義情報を無線通信端末３００に供給する。
【００２７】
管理サーバ５００は、対応情報データベース５１０を管理するサーバである。この対応情報データベース５１０には、装置識別情報ＩＤｐと玩具識別情報ＩＤｔとが対応付けて記憶される。後述するように、この管理サーバ５００は、無線通信端末３００からの要求に応じて、該当する対応情報を抽出して、その対応情報を無線通信端末３００に供給する。
【００２８】
図２は、本発明の実施の形態における対応情報データベース５１０の構成例を示す図である。この対応情報データベース５１０は、装置識別情報ＩＤｐと、玩具識別情報ＩＤｔと、玩具の種類とを対応付ける対応情報を各レコードとして記憶している。
【００２９】
装置識別情報ＩＤｐは、再生装置２００を個別に識別するための情報である。この例では、１つの玩具に対して複数の再生装置２００が対応する例を示しているが、１つの玩具に対して１つの再生装置２００が対応するようにしてもよい。
【００３０】
玩具識別情報ＩＤｔは、玩具１００を種類毎に識別するための情報である。この例では、玩具識別情報ＩＤｔが「０００１−０００１」、「０００１−０００２」または「０００１−０００３」である玩具１００として、Ｘ社製のぬいぐるみの例が示されている。また、玩具識別情報ＩＤｔが「０００２−０００１」、「０００２−０００２」、「０００２−０００３」、「０００２−０００４」または「０００２−０００５」である玩具１００として、Ｙ社製のフィギュアの例が示されている。
【００３１】
この対応情報データベース５１０のレコードに記憶される対応情報によって、再生装置２００と玩具１００との対応関係が定義される。この各レコードの対応情報は、無線通信端末３００の記憶部３２０に対応情報３２１として記憶される。無線通信端末３００は、この対応情報３２１を参照して、玩具１００に対応する再生装置２００を特定して、その再生装置２００に対して再生命令を送信する。
【００３２】
［事前準備］
図３は、本発明の実施の形態における玩具制御システムの事前準備処理１の例を示すシーケンスチャートである。この玩具制御システムでは、無線通信端末３００および再生装置２００に必要な情報およびデータを記憶させるために、以下の事前準備処理を予め行う。
【００３３】
再生装置２００は、記憶部２２０に記憶されているその再生装置２００の装置識別情報（ＩＤｐ）２２１を無線通信端末３００に送信する（ステップＳ８１１）。このとき、再生装置２００は、その装置識別情報ＩＤｐを含むアドバタイズ（advertising）パケットを発信（ブロードキャスト）する。このアドバタイズパケットを受信した無線通信端末３００がこれに応答し、再生装置２００と無線通信端末３００との間で接続認証（ペアリング）が行われる（ステップＳ８１２およびＳ８１３）。
【００３４】
無線通信端末３００は、アドバタイズパケットに含まれていた装置識別情報ＩＤｐを管理サーバ５００に送信して、関連する対応情報のレコードを要求する（ステップＳ８１４）。
【００３５】
管理サーバ５００は、無線通信端末３００からの要求に応じて、受信した装置識別情報ＩＤｐを含むレコードを対応情報データベース５１０から抽出する（ステップＳ８１５）。この対応情報のレコードには、受信した装置識別情報ＩＤｐとそれに対応する玩具識別情報ＩＤｔとの対応情報が含まれている。管理サーバ５００は、この抽出した対応情報を要求元の無線通信端末３００に送信する（ステップＳ８１６）。
【００３６】
無線通信端末３００は、管理サーバ５００から対応情報を受信して、記憶部３２０に対応情報３２１として記憶する（ステップＳ８１７）。
【００３７】
図４は、本発明の実施の形態における玩具制御システムの事前準備処理２の例を示すシーケンスチャートである。
【００３８】
無線通信端末３００は、ユーザが所有する玩具１００に応じたオーディオデータおよび再生定義情報をＷｅｂサーバ６００に要求する（ステップＳ８２１）。このとき、無線通信端末３００は、例えば、記憶部３２０に記憶されている対応情報３２１を参照して、玩具識別情報ＩＤｔをＷｅｂサーバ６００に送信する。
【００３９】
Ｗｅｂサーバ６００は、無線通信端末３００からの要求に応じて、例えば、受信した玩具識別情報ＩＤｔに関連するオーディオデータおよび再生定義情報を抽出して、要求元の無線通信端末３００に送信する（ステップＳ８２２）。
【００４０】
無線通信端末３００は、Ｗｅｂサーバ６００からオーディオデータおよび再生定義情報を受信して、記憶部３２０にそれぞれオーディオデータ３２３および再生定義情報３２２として記憶する（ステップＳ８２３）。そして、無線通信端末３００は、記憶部３２０に記憶されたオーディオデータ３２３を再生装置２００に送信する（ステップＳ８２４）。
【００４１】
再生装置２００は、無線通信端末３００から受信したオーディオデータを記憶部２２０にオーディオデータ２２３として記憶する（ステップＳ８２５）。
【００４２】
なお、ここでは、オーディオデータおよび再生定義情報がＷｅｂサーバ６００から供給されることを前提としたが、これらはユーザ自身が作成することも可能である。例えば、他のパーソナルコンピュータからネットワークを介して無線通信端末３００に送信するようにしてもよく、また、メモリカード等を介して無線通信端末３００に入力するようにしてもよい。その場合、Ｗｅｂサーバ６００は不要となる。
【００４３】
［適用例］
図５は、本発明の第１の実施の形態における玩具制御システムの適用例を示す図である。この例では、制御対象となる玩具１００として、２体のぬいぐるみ１１１および１１２を想定する。ここでは、ぬいぐるみ１１１および１１２の頭部には、それぞれ再生装置２００が内蔵されているものとする。以下では、ぬいぐるみ１１１の本体をぬいぐるみ＃１、ぬいぐるみ１１２の本体をぬいぐるみ＃２、ぬいぐるみ１１１に内蔵される再生装置２００を再生装置＃ａ、ぬいぐるみ１１２に内蔵される再生装置２００を再生装置＃ｂとしてそれぞれ表記する。
【００４４】
無線通信端末３００は、再生装置＃ａまたは＃ｂの何れかを指定して、再生命令を送信する。この再生命令は、同図において「Ｐｌａｙ  ｘｘｘ」と表している。「Ｐｌａｙ」は再生命令を意味し、「ｘｘｘ」はそれぞれのオーディオデータを意味している。
【００４５】
これにより、無線通信端末３００からの制御によって、それぞれの再生装置＃ａおよび＃ｂから再生音が出力され、あたかもぬいぐるみ＃１および＃２が会話をしているかのようにみせることができる。
【００４６】
［データ構造］
図６は、本発明の第１の実施の形態における記憶部３２０に記憶される対応情報３２１の一例を示す図である。この対応情報３２１は、「装置識別情報ＩＤｐ」と「玩具識別情報ＩＤｔ」との対応関係を示している。
【００４７】
この例では、再生装置＃ａの装置識別情報ＩＤｐ「０００１−０００１−０００１」とぬいぐるみ＃１の玩具識別情報ＩＤｔ「０００１−０００１」との対応関係と、再生装置＃ｂの装置識別情報ＩＤｐ「０００１−０００２−０００１」とぬいぐるみ＃２の玩具識別情報ＩＤｔ「０００１−０００２」との対応関係とが示されている。
【００４８】
無線通信端末３００は、この対応情報３２１を参照することにより、制御対象となる玩具１００、および、その玩具１００に取り付けられている再生装置２００を認識することができる。
【００４９】
図７は、本発明の第１の実施の形態における記憶部３２０に記憶される再生定義情報３２２の一例を示す図である。この再生定義情報３２２は、オーディオデータの複数の再生タイミングを定義するものであり、この例では、「再生タイミング」のそれぞれについて、「玩具識別情報ＩＤｔ」および「オーディオデータ」が示されている。
【００５０】
「再生タイミング」は、再生開始時刻を始点として、相対的な再生時刻を示している。「玩具識別情報ＩＤｔ」は、再生音を出力する再生装置２００に対応する玩具１００を示している。「オーディオデータ」は再生される音声データのデータ名（ファイル名）を示している。上述のように、オーディオデータとしてはＭＰ３形式の音声データファイル等が想定され、その場合には、オーディオデータのファイル名として「．ｍｐ３」が付加される。
【００５１】
無線通信端末３００は、この再生定義情報３２２に従って、「再生タイミング」によって示される時刻に、「オーディオデータ」を指定した再生命令を送信する。このとき、対応情報３２１において「玩具識別情報ＩＤｔ」に対応する「装置識別情報ＩＤｐ」が取得されて、再生命令の宛先として用いられる。
【００５２】
なお、この再生定義情報３２２は、テキストファイルやバイナリファイルなどの形式によって記憶されてもよく、スクリプト言語で記述されたドキュメントとして記憶されてもよい。例えば、ＪａｖａＳｃｒｉｐｔ（登録商標）などのスクリプト言語で再生命令を記述したｈｔｍｌファイルをＷｅｂサーバ６００上に予めアップロードしておいて、無線通信端末３００が、再生の直前にオーディオデータとは別に、再生定義情報を取得するようにしてもよい。
【００５３】
図８は、本発明の第１の実施の形態における記憶部２２０に記憶されるオーディオデータ２２３の一例を示す図である。このオーディオデータ２２３には、オーディオデータの内容が記憶される。
【００５４】
ここでは、１つにまとめて示しているが、実際には、それぞれの再生装置２００の記憶部２２０に分けて記憶される。すなわち、「ｍａｌｅ１＿ｂｏｋｅ１」、「ｍａｌｅ１＿ｂｏｋｅ２」および「ｍａｌｅ１＿ｂｏｋｅ３」は、再生装置＃ａの記憶部２２０に記憶され、「ｍａｌｅ２＿ｔｓｕｋｋｏｍｉ１」、「ｍａｌｅ２＿ｔｓｕｋｋｏｍｉ２」および「ｍａｌｅ２＿ｔｓｕｋｋｏｍｉ３」は、再生装置＃ｂの記憶部２２０に記憶される。
【００５５】
図９は、本発明の実施の形態における再生命令の一例を示す図である。この再生命令は、「宛先」、「命令」および「パラメータ」を含んでいる。「宛先」には、再生を行う再生装置２００の装置識別情報が指定される。「命令」には、再生命令を意味する「Ｐｌａｙ」が指定される。「パラメータ」には、再生対象となるオーディオデータのファイル名が指定される。
【００５６】
再生装置２００は、無線通信端末３００から再生命令を受信すると、その再生命令に指定されているオーディオデータを記憶部２２０のオーディオデータ２２３から取得して、再生する。
【００５７】
［動作］
図１０は、本発明の第１の実施の形態における無線通信端末３００の処理手順例を示す流れ図である。
【００５８】
処理部３１０は、再生定義情報３２２を参照して（ステップＳ９１１）、次の再生命令の送信に備える。送信する必要のある再生命令を全て送信し終えている場合には（ステップＳ９１２：Ｙｅｓ）、処理を終了する。
【００５９】
処理部３１０は、再生定義情報３２２の「再生タイミング」により定義される再生時刻が到来していない場合には（ステップＳ９１３：Ｎｏ）、次の再生時刻まで待機する。処理部３１０は、再生時刻が到来すると（ステップＳ９１３：Ｙｅｓ）、対応情報３２１を参照して、再生定義情報３２２の「玩具識別情報」に対応する装置識別情報を取得する（ステップＳ９１５）。そして、処理部３１０は、取得された装置識別情報が示す再生装置２００に対して再生命令を送信する（ステップＳ９１６）。この再生命令を受信した再生装置２００は、再生命令に指定されたオーディオデータのデータ名に従って記憶部２２０のオーディオデータ２２３を取得して再生を行う。
【００６０】
このように、本発明の第１の実施の形態によれば、再生定義情報３２２に従って無線通信端末３００から特定の再生装置２００に再生命令を送信することにより、予め定められた再生タイミングで複数の再生装置２００を同期させて再生音を出力することができる。
【００６１】
［変形例］
上述の第１の実施の形態では、再生定義情報３２２において再生タイミング毎に玩具１００（玩具識別情報ＩＤｔ）を指定していた。これは、再生定義情報を作成する段階で再生装置２００を特定する必要がないため、Ｗｅｂサーバ６００から供給する場合には合理的な態様である。これに対し、ユーザ自身が再生定義情報を作成するような場合には、初めから再生装置２００を特定しても問題がない。そこで、以下の変形例では、再生定義情報３２２において装置識別情報ＩＤｐを指定する例を示す。
【００６２】
図１１は、本発明の第１の実施の形態の変形例における記憶部３２０に記憶される再生定義情報３２２の一例を示す図である。この変形例では、再生定義情報３２２において、「再生タイミング」のそれぞれについて、「装置識別情報ＩＤｐ」および「オーディオデータ」が示されている。すなわち、「玩具識別情報ＩＤｔ」に代えて「装置識別情報ＩＤｐ」が指定される。
【００６３】
この変形例によれば、上述の第１の実施の形態とは異なり、玩具識別情報ＩＤｔに対応する装置識別情報ＩＤｐをあらためて取得する必要がなく、そのまま再生命令を送信することができる。
【００６４】
＜２．第２の実施の形態＞
上述の第１の実施の形態では、複数の玩具１００（ぬいぐるみ１１１および１１２）に取り付けられた再生装置２００の間で同期して再生するように、無線通信端末３００から制御していたが、この第２の実施の形態では、無線通信端末３００においても再生することを想定して、無線通信端末３００と玩具１００との間で同期して再生する例について説明する。なお、玩具制御システムの全体構成は図１において説明したものと同様であるため、ここでは詳細な説明を省略する。
【００６５】
［適用例］
図１２は、本発明の第２の実施の形態における玩具制御システムの適用例を示す図である。この例では、制御対象となる玩具１００として、５体のフィギュア１２１乃至１２５を想定する。ここでは、フィギュア１２１乃至１２５のそれぞれの台座に再生装置２００（２０１乃至２０５）が内蔵されているものとする。以下では、フィギュア１２１の本体をフィギュア＃１、フィギュア１２１の台座に内蔵される再生装置２０１を再生装置＃ｃ、フィギュア１２２の本体をフィギュア＃２、フィギュア１２２の台座に内蔵される再生装置２０２を再生装置＃ｄ、フィギュア１２３の本体をフィギュア＃３、フィギュア１２３の台座に内蔵される再生装置２０３を再生装置＃ｅ、フィギュア１２４の本体をフィギュア＃４、フィギュア１２４の台座に内蔵される再生装置２０４を再生装置＃ｆ、フィギュア１２５の本体をフィギュア＃５、フィギュア１２５の台座に内蔵される再生装置２０５を再生装置＃ｇとしてそれぞれ表記する。
【００６６】
無線通信端末３００は、再生装置＃ｃ乃至＃ｇの何れかを指定して、再生命令を送信する。この再生命令は、同図において「Ｐｌａｙ  ｘｘｘ」の表記は第１の実施の形態と同様である。
【００６７】
また、この第２の実施の形態では、無線通信端末３００のオーディオ出力部３７０からも再生音が出力される。したがって、無線通信端末３００における制御によって、無線通信端末３００および再生装置＃ｃ乃至＃ｇのそれぞれから再生音が出力される。これにより、あたかも無線通信端末３００で再生される音楽に合わせてフィギュア＃１乃至＃５が歌を歌っているかのようにみせることができる。
【００６８】
［データ構造］
図１３は、本発明の第２の実施の形態における記憶部３２０に記憶される対応情報３２１の一例を示す図である。この対応情報３２１は、「装置識別情報ＩＤｐ」と「玩具識別情報ＩＤｔ」との対応関係を示している。基本的な構成は第１の実施の形態と同様である。
【００６９】
この例では、再生装置＃ｃの装置識別情報ＩＤｐ「０００２−０００１−０００１」とフィギュア＃１の玩具識別情報ＩＤｔ「０００２−０００１」との対応関係と、再生装置＃ｄの装置識別情報ＩＤｐ「０００２−０００２−０００１」とフィギュア＃２の玩具識別情報ＩＤｔ「０００２−０００２」との対応関係と、再生装置＃ｅの装置識別情報ＩＤｐ「０００２−０００３−０００１」とフィギュア＃３の玩具識別情報ＩＤｔ「０００２−０００３」との対応関係と、再生装置＃ｆの装置識別情報ＩＤｐ「０００２−０００４−０００１」とフィギュア＃４の玩具識別情報ＩＤｔ「０００２−０００４」との対応関係と、再生装置＃ｇの装置識別情報ＩＤｐ「０００２−０００５−０００１」とフィギュア＃５の玩具識別情報ＩＤｔ「０００２−０００５」との対応関係とが示されている。
【００７０】
無線通信端末３００は、この対応情報３２１を参照することにより、制御対象となる玩具１００、および、その玩具１００に取り付けられている再生装置２００を認識することができる。
【００７１】
図１４は、本発明の第２の実施の形態における記憶部３２０に記憶される再生定義情報３２２の一例を示す図である。この再生定義情報３２２は、オーディオデータの複数の再生タイミングを定義するものであり、この例では、「再生タイミング」のそれぞれについて、「玩具識別情報ＩＤｔ」および「オーディオデータ」が示されている。基本的な構成は第１の実施の形態と同様である。ただし、この第２の実施の形態では、無線通信端末３００において再生されるオーディオデータ「ｍｅｌｏｄｙ＿ｍｏｍｉｊｉ」が定義されている。この例では、「玩具識別情報ＩＤｔ」が指定されていない場合には無線通信端末３００において再生することを前提としている。
【００７２】
なお、この再生定義情報３２２は、第１の実施の形態と同様に、スクリプト言語で記述されたドキュメントとして記憶されてもよい。
【００７３】
図１５は、本発明の第２の実施の形態における記憶部２２０に記憶されるオーディオデータ２２３および記憶部３２０に記憶されるオーディオデータ３２３の一例を示す図である。このオーディオデータ２２３および３２３には、オーディオデータの内容が記憶される。
【００７４】
ここでは、１つにまとめて示しているが、実際には、無線通信端末３００または再生装置２００のそれぞれの記憶部３２０または２２０に分けて記憶される。すなわち、「ｍｅｌｏｄｙ＿ｍｏｍｉｊｉ」は、無線通信端末３００の記憶部３２０に記憶され、「ｓｏｐｒａｎｏ１＿ｍｏｍｉｊｉ０１」、「ｓｏｐｒａｎｏ１＿ｍｏｍｉｊｉ０２」および「ｓｏｐｒａｎｏ１＿ｍｏｍｉｊｉ０３」は、再生装置＃ｃの記憶部２２０に記憶され、「ｓｏｐｒａｎｏ２＿ｍｏｍｉｊｉ０１」、「ｓｏｐｒａｎｏ２＿ｍｏｍｉｊｉ０２」および「ｓｏｐｒａｎｏ２＿ｍｏｍｉｊｉ０３」は、再生装置＃ｄの記憶部２２０に記憶され、「ｓｏｐｒａｎｏ３＿ｍｏｍｉｊｉ０１」、「ｓｏｐｒａｎｏ３＿ｍｏｍｉｊｉ０２」および「ｓｏｐｒａｎｏ３＿ｍｏｍｉｊｉ０３」は、再生装置＃ｅの記憶部２２０に記憶され、「ａｌｔｏ１＿ｍｏｍｉｊｉ０１」、「ａｌｔｏ１＿ｍｏｍｉｊｉ０２」および「ａｌｔｏ１＿ｍｏｍｉｊｉ０３」は、再生装置＃ｆの記憶部２２０に記憶され、「ａｌｔｏ２＿ｍｏｍｉｊｉ０１」、「ａｌｔｏ２＿ｍｏｍｉｊｉ０２」および「ａｌｔｏ２＿ｍｏｍｉｊｉ０３」は、再生装置＃ｇの記憶部２２０に記憶される。
【００７５】
［動作］
図１６は、本発明の第２の実施の形態における無線通信端末３００の処理手順例を示す流れ図である。
【００７６】
処理部３１０は、再生定義情報３２２を参照して（ステップＳ９２１）、次の再生命令の送信に備える。送信する必要のある再生命令を全て送信し終えている場合には（ステップＳ９２２：Ｙｅｓ）、処理を終了する。
【００７７】
処理部３１０は、再生定義情報３２２の「再生タイミング」により定義される再生時刻が到来していない場合には（ステップＳ９２３：Ｎｏ）、次の再生時刻まで待機する。処理部３１０は、再生時刻が到来すると（ステップＳ９２３：Ｙｅｓ）、再生定義情報３２２の「玩具識別情報」において玩具識別情報が指定されているか否かを判断する（ステップＳ９２４）。再生定義情報３２２の「玩具識別情報」において玩具識別情報が指定されていない場合には（ステップＳ９２４：Ｎｏ）、無線通信端末３００はオーディオデータ３２３を参照して、自ら再生を行う（ステップＳ９２７）。
【００７８】
一方、再生定義情報３２２の「玩具識別情報」において玩具識別情報が指定されている場合には（ステップＳ９２４：Ｙｅｓ）、対応情報３２１を参照して、再生定義情報３２２の「玩具識別情報」に対応する装置識別情報を取得する（ステップＳ９２５）。そして、処理部３１０は、取得された装置識別情報が示す再生装置２００に対して再生命令を送信する（ステップＳ９２６）。この再生命令を受信した再生装置２００は、再生命令に指定されたオーディオデータのデータ名に従って記憶部２２０のオーディオデータ２２３を取得して再生を行う。
【００７９】
このように、本発明の第２の実施の形態によれば、再生定義情報３２２に従って無線通信端末３００から再生装置２００に再生命令を送信するとともに、無線通信端末３００が自ら再生を行うことにより、再生装置２００および無線通信端末３００を同期させて再生音を出力することができる。
【００８０】
［変形例］
上述の第２の実施の形態では、第１の実施の形態と同様に、再生定義情報３２２において再生タイミング毎に玩具１００（玩具識別情報ＩＤｔ）を指定していた。この第２の実施の形態においても上述の変形例を適用することができる。
【００８１】
図１７は、本発明の第２の実施の形態の変形例における記憶部３２０に記憶される再生定義情報３２２の一例を示す図である。この変形例では、再生定義情報３２２において、「再生タイミング」のそれぞれについて、「装置識別情報ＩＤｐ」および「オーディオデータ」が示されている。すなわち、「玩具識別情報ＩＤｔ」に代えて「装置識別情報ＩＤｐ」が指定される。また、「装置識別情報ＩＤｐ」において装置識別情報を指定しない場合には、無線通信端末３００が自ら再生を行うことを意味している。
【００８２】
この第２の実施の形態の変形例によれば、上述の第１の実施の形態の変形例と同様に、玩具識別情報ＩＤｔに対応する装置識別情報ＩＤｐをあらためて取得する必要がなく、そのまま再生命令を送信することができる。
【００８３】
なお、上述の実施の形態は本発明を具現化するための一例を示したものであり、実施の形態における事項と、特許請求の範囲における発明特定事項とはそれぞれ対応関係を有する。同様に、特許請求の範囲における発明特定事項と、これと同一名称を付した本発明の実施の形態における事項とはそれぞれ対応関係を有する。ただし、本発明は実施の形態に限定されるものではなく、その要旨を逸脱しない範囲において実施の形態に種々の変形を施すことにより具現化することができる。
【００８４】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disc）、メモリカード、ブルーレイディスク（Blu-ray（登録商標） Disc）等を用いることができる。
【符号の説明】
【００８５】
１００  玩具
１１１、１１２  ぬいぐるみ
１２１〜１２５  フィギュア
２００〜２０５  再生装置
２１０、３１０  処理部
２２０、３２０  記憶部
２２１  装置識別情報（ＩＤｐ）
２２３、３２３オーディオデータ
２３０  端末通信部
２７０、３７０  オーディオ出力部
３００  無線通信端末
３２１  対応情報
３２２  再生定義情報
３３０  装置通信部
３４０  サーバ通信部
３５０  入力部
３６０  表示部
３９０  バス
４００  ネットワーク
４１０  アクセスポイント
４１１  アンテナ
５００  管理サーバ
５１０  対応情報データベース
６００  Ｗｅｂサーバ
【図１】
2016221152.tif 000003
【図２】
2016221152.tif 000004
【図３】
2016221152.tif 000005
【図４】
2016221152.tif 000006
【図５】
2016221152.tif 000007
【図６】
2016221152.tif 000008
【図７】
2016221152.tif 000009
【図８】
2016221152.tif 000010
【図９】
2016221152.tif 000011
【図１０】
2016221152.tif 000012
【図１１】
2016221152.tif 000013
【図１２】
2016221152.tif 000014
【図１３】
2016221152.tif 000015
【図１４】
2016221152.tif 000016
【図１５】
2016221152.tif 000017
【図１６】
2016221152.tif 000018
【図１７】
2016221152.tif 000019